(57)【要約】【課題】特に宝石を取り付ける装身具の構造が極簡単なもので、それだけ見た目を損なうことなく高価な材料費を節減でき、従来の装身具と比べてその輝きを増すことができるように工夫したこと。【解決手段】略一線上に並べられかつ軸芯部分に透孔を有する多数の皿状枠体と、この枠体側壁の対応する位置に穿った一対の連絡孔と、それぞれ隣り合う連絡孔に、両端部を緩嵌挿状態で連結させた多数の連結子と、上記枠体の上面周囲より上方に突出させた複数片の係合突起とよりなり、上記枠体内にダイヤモンドのような宝石を嵌め込み、係合突起を折り曲げて宝石を固定してなる。【選択図】  図１
0003127343.tif 000002
【実用新案登録請求の範囲】
【請求項１】
略一線上に並べられかつ軸芯部分に透孔を有する多数の皿状枠体と、
この枠体側壁の対応する位置に穿った一対の連絡孔と、
それぞれ隣り合う連絡孔に、両端部を緩嵌挿状態で連結させた多数の連結子と、
上記枠体の上面周囲より上方に突出させた複数片の係合突起とよりなり、
上記枠体内にダイヤモンドのような宝石を嵌め込み、係合突起を折り曲げて宝石を固定することを特徴とした鎖状装身具。
【考案の詳細な説明】
【技術分野】
【０００１】
本考案は、ネックレス，ブレスレット，アンクレットなど鎖状の装身具に関し、特に該鎖状本体にダイヤモンドのような宝石を多数並べた装身具に関する。
【背景技術】
【０００２】
而して、この種、宝石を多数並べる従来技術としては、ビーズ状装飾体を任意の駒内に簡単な加工技術で強固かつ確実に保持させ装飾具用チェーンの任意の駒にビーズ状装飾体による装飾効果を後加工によって付与するものとして、金属条リングの駒が多数連結された装身具用チェーンにおいて、所定駒のチェーン長手方向中央部の左右条間にビーズ状装飾体を挿入し、このビーズ状装飾体の左右の孔ないしは窪みに、上記駒の左右条を押し込みこのビーズ状装飾体を上記駒内に保持させた装身具用チェーンが知られている。[特許文献１参照]
【０００３】
また、多数の内部中空球体を連結子により連鎖状に相互にフレキシブルに連繋させた貴金属チェーンの、二次あるいは三次加工を容易にするとともに、それぞれの内部中空球体の装飾性・質感をより一層向上させる技術としては、多数の内部中空球体を連結子により連鎖状に相互にフレキシブルに連結合させた貴金属チェーンがある。それは該貴金属チェーンの各球体には対称面の一部をカットして中空内に開口させるとともに、該カットした肉厚面を外方に露呈させてなるものである。
これにより該肉厚面の審美性を引き出して、さらなる装飾性・質感の向上をはかると同時に、球体対称部の中空内への開口部を利用し、これに別の糸やワイヤーを引き通して貴金属あるいは宝石類等別の装飾体を二次方向あるいはさらに三次方向に向けて取り付けることが容易かつ可能となるところから、低コストでしかも豪華な最新の貴金属チェーンを量産することができるという。[特許文献2参照]
【０００４】
しかし、前者は装飾体（宝石）自身の左右に孔乃至窪みを設けるもので、加工が難しいダイヤモンドなど特に硬質の宝石では実施できず、また宝石自身が持つ輝きや見た目の良さを損なう虞がある。
【０００５】
また、後者のものは構造が複雑であり、この種装飾物は常に激しい振動が伴うことから、その構造は複雑であればあるほどこれに取り付けられる宝石類が外れ落下して紛失する原因となる。
【０００６】
【特許文献１】特開２００６−２１２０６２  公報
【特許文献２】特開平１１−０００２１２    公報
【考案の開示】
【考案が解決しようとする課題】
【０００７】
而して本案は上記の欠点を除去するものであって、特に宝石を取り付ける装身具の構造が極簡単なもので、それだけ見た目を損なうことなく高価な材料費を節減でき、従来の装身具と比べてその輝きを増すことができるように工夫したものである。
【課題を解決するための手段】
【０００８】
而して本案の特徴とするところは、略一線上に並べられかつ軸芯部分に透孔を有する多数の皿状枠体と、この枠体側壁の対応する位置に穿った一対の連絡孔と、それぞれ隣り合う連絡孔に、両端部を緩嵌挿状態で連結させた多数の連結子と、上記枠体の上面周囲より上方に突出させた複数片の係合突起とよりなり、上記枠体内にダイヤモンドのような宝石を嵌め込み、係合突起を折り曲げて宝石を固定することにある。
【考案の効果】
【０００９】
次に本案の効果としては、上記枠体は通常金，銀あるいはホワイトゴールドのような高価な材料で造られるのであるが、本案の枠体はその軸芯部分に透孔を設けたから、その分だけ素材を節減できたのである。
【００１０】
また枠体は皿状で透孔があり、その上方に突出させた係合突起を有する簡単な構造であるから、一度のプレス作業で製造でき、しかもこの枠体と連結子の２点だけの部材で部品点数が少なく安価に量産できるのである。
【００１１】
さらにこの枠体に宝石を嵌め込み、装身具となしたからこの宝石に「輝き」を与える光がその上部ばかりではなく、上記透孔からも侵入しそれは宝石の輝きを一段と素晴らしいものとすることがきたのである。
【考案を実施するための最良の形態】
【００１２】
図で（１）は皿状の枠体で、一直線方向に多数並べられ、その軸芯部分に透孔（２）がある。ただし、この透孔（２）の径はこの枠体（１）内に嵌合される宝石（３）の径より小さいことが肝要である。
【００１３】
また、（４）（４）は上記枠体（１）の中心点を通る水平線上にあって、その側壁（５）に穿った連絡孔である。
【００１４】
（６）は連結子である。この連結子（６）はその両端近くを隣接する枠体（１）の対応する連絡孔（４）（４）に少し挿通させ、かつその両端部は枠体（１）内にあって連絡孔（４）（４）の径より広い巾（７）となっている。
【００１５】
この結果、多数の枠体（１）同士は連結子（６）（６）によって一体に連結されているも少しく自由方向に揺動でき、所謂フレキシブルな構造と成っている。
【００１６】
（８）は枠体（１）の上面周囲から上方に等間隔で突出させた複数片の係合突起である。なお上述した枠体（１）及び連結子（６）は極手軽なプレス機の一度のプレス作業で製造することができるものである。
【００１７】
而して、ダイヤモンドのような宝石（３）をその末端が透孔（２）に嵌入するように枠体（１）に嵌め込み、係合突起（８）をそれぞれの中心円方向に折り曲げて宝石（３）を枠体（１）に固定する。
【００１８】
この結果、図１に示すように一直線状に枠体（１）に宝石（３）が並んだ装身具本体（９）が作られるが、実際の使用に当たってはその両端に雄連結部材（１０）と、雌連結部材（１１）が適宜の手段で取り付けられる。
【００１９】
斯くしてかかるネックレスなどの装身具本体（９）を首に廻し使用するときは、並べられた宝石（３）が前面の光だけでなく、裏面の透孔（２）を通過する先と相俟って、従来品に比して頗る増大した輝きを着者に与えられたのである。
【図面の簡単な説明】
【００２０】
【図１】本案装身具全体の一部切断平面図
【図２】枠体と連結子の拡大平面図
【図３】図２のＡ−Ａ線拡大断面図
【符号の説明】
【００２１】
１  枠体
２  透孔
３  宝石
４  連絡孔
５  側壁
６  連結子
７  広い巾
８  係合突起
９  装身具本体
１０  雄連結部材
１１  雌連結部材
【図１】
0003127343.tif 000003
【図２】
0003127343.tif 000004
【図３】
0003127343.tif 000005